(57)【特許請求の範囲】
【請求項１】
正面、背面、４つの側面を有する透明な箱体に、遊技機を制御するための制御基板を収納可能な基板ケースと、
前記基板ケースの正面が前方に向くように遊技機内部に取り付けるための、遊技機内部に設けられる基体とを少なくとも備える遊技機において、
前記基板ケースは、いずれかの側面に、破壊可能部を有する連結部により切り離し可能に形成された箱形のケース固定部を備え、
前記基体は、前記ケース固定部と固定ピンとによって固定される固定板を備え、
前記固定ピンは、軸部の一端から拡開状に形成された対向する２本のやじり部と、軸部の他端に形成された頭部とを有し、
前記ケース固定部は、側面側から前記固定ピンを挿入可能なピン孔と、前記固定ピンを最奥まで押入したときにやじり部が前記固定板を通過して位置する内部空間であるやじり収納部と、このやじり収納部と連通する差込間隙とを有し、
前記固定板は、板面が前記固定ピンの挿入方向と直交するように設けられているとともに、基板ケースを基体に取り付けたときに、前記ケース固定部の差込間隙からやじり収納部内に突出するものであり、
前記固定板は、前記固定ピンのやじり部を挿入可能でありかつ引き抜き不能に係止するやじり固定孔と、やじり固定孔から固定板の端部に連通し前記固定ピンの軸部を通過可能とする軸通過溝とが設けられ、前記軸通過溝は、基板ケースの着脱方向と一致しない方向に向かって形成されており、
基板ケースを前記基体に取り付けた状態において、前記固定ピンを、正面視したとき２本のやじり部が軸部先端から上方と下方とに拡開した形状として視認可能となる向きで、前記ケース固定部のピン孔から挿入すると、前記やじり部が、側面視したとき前記軸通過溝の溝長方向と合致しない角度で前記２本のやじり部がその拡開状態を狭めて前記やじり固定孔を通過し、前記２本のやじり部がその拡開状態を元に戻して固定板に固定されるように形成されており、
前記ケース固定部の連結部を切断して基板ケースを基体から取り外した後に、前記固定ピンが固定板に装着されたままのケース固定部を、固定ピンの軸部が前記軸通過溝を通過する方向に移動させて、前記固定板から取り外し可能に形成されていることを特徴とする遊技機。
【請求項２】
前記基板ケースのケース固定部は、前記固定ピンを、正面視したとき２本のやじり部が軸部先端から上方と下方とに拡開した形状として視認可能となる向きとなり、かつやじり部の拡開する方向が前記基体の基体固定部における軸通過溝の溝長方向と合致しない角度となるように、前記固定ピンの頭部を保持して前記固定ピンを前記ピン孔に挿入可能とするピン誘導部を備えていることを特徴とする請求項１記載の遊技機。
【発明の詳細な説明】
【技術分野】
【０００１】
この発明は、基板ケースを備えた遊技機に関する。
【背景技術】
【０００２】
スロットマシンなどの遊技機においては、基板ケースを遊技機に固定する際には、ケースの外周をワンウェイネジやかしめピンによって固定封印し、封印部分を破壊しなければケースが開かないように形成されている。
ここで、かしめピンを用いて封印する場合、特許文献１に示すように、ピンを側面側から挿入するように形成し、ピンのやじりを正面から視認可能とし封印状態を確認することができるようにすることが行われている。また、特許文献２に示すように、ワンウェイネジで固定した封印部を基板ケースから切り離した後、遊技機内部に残された封印部をワンウェイネジの挿入方向と直交する方向に抜き取り可能とする技術も知られている。
【先行技術文献】
【特許文献】
【０００３】
【特許文献１】特許第４１２５６５５号公報
【特許文献２】特許第３８６８６６５号公報
【発明の概要】
【発明が解決しようとする課題】
【０００４】
しかし、やじり部を有するかしめピンを側面側から挿入し、かしめピンによって固定された封印部を切断して、切断された封印部を遊技機内部から取り出すようにしたい場合、残された封印部をかしめピンの挿入方向（横方向）と直交する方向（上下方向）に抜き取るようにすると、遊技機内部に設けられたピン固定孔に連通するピンを抜き取るための通路が、やじり部と合致しないように工夫する必要がある。やじり部が抜き取り通路と合致していると、片方のやじりの固定力が弱まり、やじり部が健在のままかしめピンが引き抜かれてしまうおそれがあるからである。ここで、やじりの向きを、抜き取り通路と直交させるようにすると、やじり部をやじりの形で、正面視することができず、やじりが破壊されているかどうか判別しにくいので好ましくない。
【０００５】
そこで本願発明は、正面側から固定ピンのやじり部をやじりの形で視認でき、固定ピンを確実に固定できるとともに、遊技機への取り付け取り外しが容易な基板ケースを備えた遊技機を提供することを目的とする。
【課題を解決するための手段】
【０００６】
本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、本発明は、正面、背面、４つの側面を有する透明な箱体に、遊技機を制御するための制御基板(100)を収納可能な基板ケース(1)と、前記基板ケース(1)の正面が前方に向くように遊技機内部に取り付けるための、遊技機内部に設けられる基体（ベース部材2）とを少なくとも備える遊技機（スロットマシンＳ）に係る。
【０００７】
前記「遊技機」は、上記構成の他に、制御基板(100)によって制御される遊技装置、例えば複数の回転リールを有するリールユニット(520)や、遊技球が通過する複数の入賞口を備えた遊技盤などを備えている。
ここで、前記基板ケース(1)は、本体(本体ケース20)及び蓋体(カバーケース10)によって箱形に形成される収納箱であって、本体(20)及び蓋体(10)それぞれは箱形でなくてもよい。また、「基体」とは、基板ケース(1)を固定するベース部分であって、遊技機の筐体の壁面や遊技機内部に設置される装置（例えばリールユニット）に設けられる取付部材（ベース部材2）だけでなく、筐体の壁面や遊技機の内部装置の一部について基板ケース(1)を取り付け可能な形状に形成したようなものも含まれる。
【０００８】
そして、本発明においては、前記基板ケース(1)は、いずれかの側面に、破壊可能部を有する連結部(a〜f)により切り離し可能に形成された箱形のケース固定部（第一封印部4A、第二封印部4B）を備え、前記基体(2)は、前記ケース固定部(4A,4B)と固定ピン（かしめピン40）とによって固定される固定板(31)を備えている。前記固定ピン(40)は、軸部(42)の一端から拡開状に形成された対向する２本のやじり部(41)と、軸部(42)の他端に形成された頭部(43)とを有し、前記ケース固定部(4A,4B)は、側面側から前記固定ピン(40)を挿入可能なピン孔(14)と、前記固定ピン(40)を最奥まで押入したときにやじり部(41)が前記固定板(31)を通過して位置する内部空間であるやじり収納部(25)と、前記やじり収納部(25)と連通する差込間隙(26)とを有している。また、前記固定板(31)は、板面が前記固定ピン(40)の挿入方向と直交するように設けられているとともに、基板ケース(1)を基体(2)に取り付けたときに、前記ケース固定部(4A,4B)の差込間隙(26)からやじり収納部(25)内に突出するものであり、前記固定板(31)は、前記固定ピン(40)のやじり部(41)を挿入可能でありかつ引き抜き不能に係止するやじり固定孔(32A,33A)と、やじり固定孔(32A,33A)から固定板(31)の端部に連通し前記固定ピン(40)の軸部(42)を通過可能とする軸通過溝(32B,33B)とが設けられている。さらに、前記軸通過溝(32B,33B)は、基板ケース(1)の着脱方向と一致しない方向に向かって形成されている。
【０００９】
ここで、基板ケース(1)の「いずれかの側面」は、上面、底面、左右の側面を含む。前記ケース固定部(4A,4B)は、中空の箱形のセグメントであり、好ましくは複数個設けられている。
前記やじり部(41)は、頭部(43)側にいくほど軸部(42)から離れるように形成された弾性片が軸部(42)を挟んで相対向して設けられているものである。前記やじり固定孔(32A,33A)は、やじり部(41)が尖端から挿入された場合には弾性片が変形して通過することができるがやじり部(41)の最大幅よりは小さい直径を有しているものである。前記差込間隙(26)は、ケース固定部(4A,4B)の、基板ケース(1)の基体(2)への取り付け方向対向する側に形成された開口部とすることができる。例えば、基板ケース(1)を基体(2)の前方から取り付ける場合には、差込間隙(26)はケース固定部(4A,4B)の背面側に設けられ、基板ケース(1)を基体(2)の上方から取り付ける場合には、差込間隙(26)はケース固定部(4A,4B)の底面側に設けられる。
【００１０】
また、「基板ケース(1)の着脱方向と一致しない方向」とは、基板ケース(1)の着脱方向と直交する方向（例えば基板ケース(1)を前後方向に着脱する場合には上下方向）とするのが好ましいが、着脱方向と交わる方向（例えば斜め上方など）としてもよい。
そして、本発明では、基板ケース(1)を前記基体(2)に取り付けた状態において、前記固定ピン(40)を、正面視したとき２本のやじり部(41)が軸部(42)先端から上方と下方とに拡開した形状として視認可能となる向きで、前記ケース固定部(4A,4B)のピン孔(14)から挿入すると、前記やじり部(41)が、側面視したとき前記軸通過溝(32B,33B)の溝長方向と合致しない角度で前記２本のやじり部(41)がその拡開状態を狭めて前記やじり固定孔(32A,33A)を通過して固定板(31)に固定されるように形成されており、前記ケース固定部(4A,4B)の連結部を切断して基板ケース(1)を基体(1)から取り外した後に、前記固定ピン(40)が固定板(31)に装着されたままのケース固定部(4A,4B)を、固定ピン(40)の軸部(42)が前記軸通過溝(32B,33B)を通過する方向に移動させて、前記固定板(31)から取り外し可能に形成されていることを特徴とする。
【００１１】
ここで、やじり部(41)が「軸通過溝(32B,33B)の溝長方向と合致しない角度で前記やじり固定孔(32A,33A)に固定」されるとは、やじり部(41)の拡開部（尖端部の反対側の端部）が双方とも固定板(31)の板面に当接している状態となっていることである。このような固定状態を可能とする手段としては、やじり部(41)がそのような向きになるように頭部(43)を軸方向に回転させた状態で固定ピン(40)をピン孔14に挿入可能となっていることのほか、マークが付されていたりその形状によって上下左右が設定されている頭部(43)に対してやじり部(41)が所定の角度回転した状態で形成されている固定ピン(40)を用いることも含まれる。いずれの場合も、固定ピン(40)のピン孔14への挿入姿勢をアシストするための誘導部を設けるのが好ましい。
【００１２】
本発明において、基板ケース(1)を基体(2)に固定する場合には、基板ケース(1)を取り付け方向から基体(2)に近づけると、ケース固定部(4A,4B)の差込間隙(26)に固定板(31)が入り込み、基板ケース(1)が基体(2)の適位置となると、固定板(31)がやじり収納部(25)内に突出する。このとき、ピン孔14とやじり固定孔(32A,33A)が合致する。そこで、ピン孔14に固定ピン(40)を所定の姿勢、すなわち、やじり部(41)が正面側から視認可能となり、かつ軸通過溝(32B,33B)と合致しない向きとなるようにセットして、ピン孔14に挿入する。固定ピン(40)を終点まで押入すると、やじり部(41)は固定板(31)のやじり固定孔(32A,33A)を通過して、やじり収納部(25)に位置する。これにより、ケース固定部(4A,4B)と固定板(31)がかしめられ、基板ケース(1)と基体(2)が固定される。基板ケース(1)を無理矢理取り外すと、固定ピン(40)のやじり部(41)が破壊されるので痕跡が残る。やじり部(41)は正面側からやじりの形で見えるようになっているので、破壊された場合には容易に判別できる。
【００１３】
基板ケース(1)を基体(2)から取り外す場合には、ケース固定部(4A,4B)と基板ケース(1)を連結している連結部を破壊して、ケース固定部(4A,4B)が固定ピン(40)でかしめられた状態のまま、基板ケース(1)から切り離す。そして基板ケース(1)を基体(2)から取り外す。そうすると、固定板(31)には切り離されたケース固定部(4A,4B)が残されるので、これを、固定ピン(40)の軸部(42)が軸通過溝(32B,33B)を通過する方向に引き抜いて取り外す。
本発明によれば、やじり部(41)がやじりの形で視認できる姿勢で固定ピン(40)を固定するので、やじり部(41)の状態を監視しやすいとともに、基板ケース(1)の基体(2)からの取り外しの際には、ケース固定部(4A,4B)を固定ピン(40)ごと切り離すようにしたので、破壊された固定ピン(40)の残骸が遊技機内部に残ることがない。そして、やじり部(41)は、切り離されたケース固定部(4A,4B)を引き抜くための軸通過溝(32B,33B)の溝長方向と合致しない角度で固定するように設定されているので、軸方向に対するやじりの係止力が低減されることがなく、やじり部(41)が破壊されないまま固定ピン(40)が引き抜かれてしまうこともない。
【００１４】
（請求項２）
（特徴点）
請求項２記載の発明は、上記した請求項１記載の発明の特徴点に加え、前記基板ケース(1)のケース固定部(4A,4B)は、前記固定ピン(40)を、正面視したとき２本のやじり部(41)が軸部(42)先端から上方と下方とに拡開した形状として視認可能となる向きとなり、かつやじり部(41)の拡開する方向が前記基体(2)の固定板(31)における軸通過溝(32B,33B)の溝長方向と合致しない角度となるように、前記固定ピン(40)の頭部(43)を保持して前記固定ピン(40)を前記ピン孔(14)に挿入可能とするピン誘導部(13)を備えていることを特徴とする。
【００１５】
前記ピン誘導部(13)は、ピン孔(14)の周囲に設けられた、固定ピン(40)の頭部(43)の外形と合致するガイド溝とすることができる。ここで、固定ピン(40)をピン孔(14)に挿入する際、やじり部(41)の向きを分かり易くするために、頭部(43)の形状が、例えばＤ字型などのように方向性を有している場合、やじり部(41)が頭部(43)の上下左右方向とずれた形に形成することは、製造容易でない。この点、ピン誘導部(13)を設けて、固定ピン(40)を軸方向に回転させた姿勢でピン孔(14)に誘導することとすれば、従来の固定ピン(40)をそのまま使用することができる。また、頭部(43)がピン誘導部(13)に保持されるため、固定ピン(40)を適正な角度及び方向に挿入することができ、封印作業が容易である。
【発明の効果】
【００１６】
本願発明は、以上のように構成されているので、正面側から固定ピンのやじり部をやじりの形で視認でき、固定ピンを確実に固定できるとともに、遊技機への取り付け取り外しが容易な基板ケースを備えた遊技機を提供することができる。
【図面の簡単な説明】
【００１７】
【図１】本発明の実施の形態における基板ケースの正面図である。
【図２】基体及び基板ケースの正面斜視図である。
【図３】基体及び基板ケースの分解斜視図である。
【図４】基板ケースの分解斜視図である。
【図５】基板ケースの基体への取り付けを示す斜視図である。
【図６】ベース封印部の斜視図である。
【図７】ベース封印部の断面図である。
【図８】ベース封印部の断面図である。
【図９】封印部を切り離して基板ケースを基体から取り外す斜視図である。
【図１０】かしめ部を取り除く過程を示す説明図である。
【図１１】シール封印部の分解斜視図である。
【図１２】シール封印部の横断面図である。
【図１３】貼付台の断面図である。
【図１４】スイッチカバーの正面図及び側面図である。
【図１５】スイッチカバーへのバネの取り付けを示す説明図である。
【図１６】スイッチカバーの横断面図である。
【図１７】スイッチカバーの他の形態を示す断面図である。
【図１８】スロットマシンの分解斜視図である。
【発明を実施するための形態】
【００１８】
本発明を実施するための最良の形態を、遊技機としてスロットマシンを例に、図面に基づき説明する。
（スロットマシンＳ）
スロットマシンＳは、図１８に示すように、大きく分けて、正面側に開口部310を有する筐体300と、筐体300内部に着脱自在に設けられる交換ユニット500と、筐体300の開口部310を開閉自在な前扉400とから構成されている。
交換ユニット200は、金属枠からなる支持体510を備え、この支持体510には、回転リールを備えたリールユニット520と、基板ケース１を固定するための基体としてのベース部材２が固定されている。ベース部材２に基板ケース１を固定し、交換ユニット500を筐体に固定することにより、基板ケース１が筐体内部に固定されることとなる。そして、交換ユニット500を筐体300の内部に収納固定した状態で、前記上扉400を閉じてロックすることにより、筐体300の開口部310が閉塞され、前扉400に設けられた図柄表示窓410から回転リールの図柄が視認できるようになっている。
【００１９】
（基板ケース１）
基板ケース１は、図３に示すように、正面部1A、背面部1B、４つの側面部1Cからなる透明な箱体に制御基板100（図４参照）を収納したものである。ここで、正面部1Aは、方形箱形の基板ケース１を遊技機に固定したときに正面視して前面側に位置する部分であり、背面部1Bは、正面部1Aの反対側に位置する部分である。また側面部1Cとは、前面部1Aと背面部1Bの四辺をつなぐ部分であり、左右の側面だけでなく、上面、底面も含めた概念である。なお、本明細書において、特に明示がない場合には、基板ケース１に設けられる各構成部品についての「正面（又は正面側、以下同様）」「背面」「上面」「底面」「側面」とは、基板ケース１を遊技機に取り付け遊技機を正面視したときに位置しているその構成部品の各面又はその面側を指し、「上側（又は方、以下同様）」「下側」「前側」「後側」とは、遊技機を正面視したときの各側又は方向を指すものとする。
【００２０】
基板ケース１は、図４に示すように、正面側に位置するカバーケース10と、背面側に位置する本体ケース20とを備えている。カバーケース10は、正面板10Aと４つの側面板10B〜10Eを有し背面側が開放する箱体であり、本体ケース20は、背面板20Aと４つの側板20B〜20Eを有し正面側が開放する箱体である。そして、本体ケース20の正面側からカバーケース10を重ね合わせて固定することにより、閉塞した箱形のケースを形成している。すなわち、基板ケースの正面部1A及び側面部1Cはカバーケース10の正面板10A及び側面板10Bの外面部であり、背面部1Bは本体ケース20の背面板20Aの外面部である。
制御基板100は、ＣＰＵ、ＲＯＭ、ＲＡＭなどの電子部品（図示せず）を搭載したプリント基板であり、主として遊技を制御する制御装置として機能するものである。また、本実施の形態における制御基板には、図４に示すように、操作スイッチ110が設けられている。操作スイッチ110としては、スロットマシンＳの出玉の設定を変更する場合に操作する設定変更スイッチ111と、スロットマシンＳの状態を設定変更モードに切り替えるための設定キースイッチ112が設けられている。なお、操作スイッチ110としては、例えば打ち止めの有無を変更可能な打ち止め設定スイッチなどを有していてもよい。そして制御基板100は、本体ケース20の内部に図示しない固定ネジにより固定される。
【００２１】
カバーケース10の正面板10Aには、前記操作スイッチ110をケース外から操作可能とするためのスイッチ開口部18が形成されており、このスイッチ開口部18から表出する操作スイッチ110を覆うためのスイッチカバー80が設けられている。スイッチカバー80は、正面板10Aの略中央部に上下に並んで設けられた軸受け16に取り付けられ、軸受け16の間に設けられたバネ止め17に係止されるバネ90（図１参照）により閉方向に付勢されるようになっている。スイッチカバー80の詳細については後述する。また、カバーケース10の正面視右側の側板10Dには、背面側が開放する箱形のカバーケースかしめボックス11が上下に二つ並んで設けられている。また、カバーケースかしめボックス11の下方には、背面側が開放する箱形のカバーベースかしめボックス12が上下に二つ並んで設けられている。さらに、カバーケース10のスイッチ開口部18の下方には、封印シールを貼り付けるためのシール貼付部15が設けられている。
【００２２】
本体ケース20の正面視右側の側板20Dには、カバーケース10を重ね合わせたときに前記カバーケースかしめボックス11と対応する位置に、正面側が開放する箱形の本体ケースかしめボックス21が上下に二つ並んで設けられているとともに、前記カバーベースかしめボックス12と対応する位置に、正面側が開放する箱形の本体ベースかしめボックス22が上下に二つ並んで設けられている。本体ベースかしめボックス22の左側近傍には、ネジボス27が設けられ、ネジボス27の下方の底面20Cには、角孔28が形成されているが、これらについては後述する。
なお、前記カバーケースかしめボックス11及び本体ケースかしめボックス21は、カバーケース10と本体ケース20とを封印するケース封印部３を構成し、カバーベースかしめボックス12及び本体ベースかしめボックス22は、基板ケース１とベース部材２とを封印するベース封印部４を構成する。また、シール貼付部15は、所定の封印シールを貼付しこれを封印するためのシール封印部５の一部を構成する。ケース封印部３、ベース封印部４、シール封印部５の詳細については後述する。
【００２３】
そして、制御基板100を固定した本体ケース20にカバーケース10を被せ、図示しない係合部と被係合部により仮固定したのち、ケース封印部３を封印することにより、ケース封印部３を破壊しない限りカバーケース10と本体ケース20の係合を解除できないように固定される。また、封印した基板ケース１は、図２に示すように、ベース部材２に固定され、ベース封印部４を封印することにより、ベース封印部４を破壊しない限り基板ケース１とベース部材２を解除できないように固定される。
（ベース部材２）
ベース部材２は、図１８に示すように、交換ユニット500の支持体510に固定されており、図３に示すように、基板ケース１とほぼ同じ上下幅、左右幅を有する板状に形成されている。
【００２４】
ベース部材２の左側の側面部には、左右方向に貫通する２つの方形の開口部200が形成されているとともに、右側の側面近傍には、前方に向かって突設された係止爪210が設けられている。また、係止爪210の近傍には、基板ケース１を固定するためのネジボス220が設けられている。
前記開口部200は、基板ケース１の左側の側面部1Cに設けられた凸部120（図１参照）と係合可能に形成されている。なお、凸部120は、カバーケース10の側面板10E（図４参照）に設けることができるが、本体ケース20の側面板20Eに設けてもよい。あるいは、双方に設けてもよい。
【００２５】
前記ネジボス220は、基板ケース１をベース部材２の適位置に設置したとき、基板ケース１の右側の側面部1Cに設けられたネジ固定部130（図１乃至４参照）のネジ穴と合致するものであり、基板ケース１をベース部材２に固定するためのものである。前記係止爪210は弾性変形可能に形成されており、基板ケース１をベース部材２の適位置に設置するとき、ネジ固定部130とケース封印部３との間に形成された爪係合間隙140（図１、図２、図５参照）を通過し、ネジ固定部130と係合して基板ケース１をベース部材２に仮固定するためのものである。
さらに、係止爪210及びネジボス220の下方には、板面を左右方向にして正面側に突設された固定板31を有するベース固定部30（図３、図６参照）が設けられている。ベース固定部30は、ベース封印部４の一部を構成するものであるが、これについては後述する。
【００２６】
ベース部材２に基板ケース１を装着する場合には、まず、基板ケース１の凸部120をベース部材２の開口部200に斜めに差し込み、開口部200と凸部120の係合部分を支点として基板ケース１をベース部材２の方に回動させる（図５参照）。基板ケース１の背面部1Bがベース部材２と接合すると、爪係合間隙140を通過した係止爪210の爪部とネジ固定部130の縁が係合して（図２参照）、ベース部材２に基板ケース１が仮固定される。そうしたら、ネジ固定部130のネジ穴から図示しないネジをねじ込み、ベース部材２と基板ケース１を固定する。そしてさらに、ベース封印部４を封印することにより、基板ケース１がベース部材２に取り外し不能に固定される。
【００２７】
なお、図示した例では、ベース部材２は、基板ケース１を遊技機の筐体内に固定するための独立した固定部材として設けてあるが、交換ユニット500の支持体510の基板取り付け部を、ベース部材２のような形状に形成してもよい。この場合には、支持体510が基板ケース１を固定するための基体として機能することとなる。
（ベース封印部４）
ベース封印部４は、前記したように、基板ケース１をベース部材２に封印するためのものであり、図１に示すように、第一封印部4Aと、第二封印部4Bとを備えている。第一封印部4A及び第二封印部4B（以下、まとめて封印部と省略する）は、それぞれ、カバーケース10のカバーベースかしめボックス12及び本体ケース20の本体ベースかしめボックス22が嵌め合わせられることにより形成されるセグメントであり、切断可能な連結部ａ，ｂ，ｃ，ｄ，ｅ，ｆによって基板ケース１と一体化している。そして、連結部ａ，ｂ，ｃ，ｆを破壊して切断することにより第一封印部4Aが基板ケース１から切り離され、連結部ｄ，ｅ，ｆを破壊して切断することにより第二封印部4Bが基板ケース１から切り離されるようになっている。
【００２８】
また、ベース封印部４は、基板ケース１をベース部材２の適位置に固定すると、ベース部材２に設けられたベース固定部30の固定板31が封印部の内部に差し込まれるようになっている（図７、図９参照）。そして、封印部の正面右側の側面側からかしめピン40を装着することにより、封印部と固定板31がかしめられ、かしめピン40を破壊するか、かしめられている封印部を基板ケース１から切り離すか、かしめられている封印部を破壊するかしない限り、基板ケース１をベース部材２から取り外しできないように形成されている。
以下、ベース封印部４の詳細を、図６乃至図１０に基づき説明する。ここで、図７はベース封印部４を正面視した断面図である。図８（Ａ）は図７のＡ−Ａ線断面図であり、図面上、左側が正面側である。図８（Ｂ）は図７のＢ−Ｂ線断面図であり、図面上、上側が正面側である。図１０はベース固定部30の固定板31と第一封印部4Aの側面図であり、図面上、左側が正面側である。
【００２９】
カバーベースかしめボックス12は、図６及び図８（Ａ）に示すように、背面側が開放する箱型部であり、側面には、図８（Ｂ）に示すように、かしめピン40を挿入するためのピン孔14と、かしめピン40の挿入を所定の角度で誘導し、かしめピン40を基板ケース１に仮固定するためのピン誘導部13が設けられている。ピン誘導部13は、ピン孔14の周囲に形成された側面視Ｕ字型の半筒体状の突起であり、正面側及び側面側が開放しており、側面側からかしめピン40を押入可能となっている。また、ピン誘導部13は、図６に示すように、正面側の開放部が斜め上方を向くように、側面視したときの半筒体の長さ方向の中心軸Ｃが、水平軸Ｌに対して所定の角度、例えば３０度傾斜するように形成されている。
【００３０】
ここで、かしめピン40は、図６に示すように、円柱状の軸部42の一方の端部にやじり部41、他方の端部に板状の頭部43が形成された、合成樹脂製の固定ピンである。やじり部41は、尖端から軸外側に広がる２つの弾性片を備え、尖端部をピン孔14に押入すると弾性片が軸側に弾性変形してピン孔14を貫通可能であるが、弾性片がピン孔14を通過すると元の形状に戻り、ピン孔14から抜き出せなくなる。また、頭部43は、ピン誘導部13の筒内部と合致する形状に形成されている。そして、やじり部41と頭部43は、図１０（Ａ）に示すように、頭部43を側面視したときの長さ方向の中心軸、すなわちピン誘導部13の長さ方向の中心軸Ｃに対して、やじり部41の２つの弾性片の頭部側の端を結ぶ線が直交するように形成されている。従って、かしめピン40をピン誘導部13にセットすると（図７参照）、やじり部41は２つの弾性片が傾斜した状態（図７、図８参照）で保持される。なお、かしめピン40は、図６に示すように、頭部43が連結紐44により連結されて、複数のかしめピン40を一体的に取り扱い可能としてある。
【００３１】
本体ベースかしめボックス22は、図６及び図８（Ａ）に示すように、正面側及び側面側が開放する箱型部であり、側面側には、箱内部の空間を左右に仕切る仕切り板23が形成されている。この仕切り板23には、かしめピン40のやじり部41が貫通可能な、カバーベースかしめボックス12のピン孔13よりも大径のやじり通過孔24が形成されている。また、仕切り板23の内側（基板ケース１の中心側）は、かしめピン40を装着したときにやじり部41と軸部42の一部が位置する空間部であるやじり収納部25を形成する。さらに、本体ベースかしめボックス22には、図７及び図８（Ｂ）に示すように、背面に形成された縦長の開口部からやじり収納部25と連通する差込間隙26が設けられている。差込間隙26は、以下に述べるベース固定部30の固定板31を、封印部の内部に突出可能とするためのものである。また、差込間隙26は、第一封印部4Aを構成する本体ベースかしめボックス22の底面と、第二封印部4Bを構成する本体ベースかしめボックス22の上面に設けられた開口部22A（図６、図７参照）、及び、第一封印部4Aを構成するカバーベースかしめボックス12の底面と、第二封印部4Bを構成するカバーベースかしめボックス12の上面に設けられた開口部12A（図６、図７参照）とも連通している。これにより、固定板31が第一封印部4A及び第二封印部4Bの間に跨って差し込まれることを可能としている。
【００３２】
また、図６に示すように、カバーベースかしめボックス12には、連結部a1〜f1が設けられている。連結部a1〜e1は、カバーベースかしめボックス12と基板ケース１とを連結するものであり、連結部f1は２つのカバーベースかしめボックス12どうしを連結するものである。連結部a1,c1,d1,f1は、肉薄の破壊可能部を有する平板であり、連結部b1,e1は、破壊可能部を有する断面コ字型に形成されている。一方、本体ベースかしめボックス22には、連結部a2〜f2が設けられている。連結部a2〜e2は、本体ベースかしめボックス22と基板ケース１とを連結するものであり、連結部f2は２つのカバーベースかしめボックス22どうしを連結するものである。連結部a2〜f2はいずれも、破壊可能部を有する平板状に形成されており、カバーケース10と本体ケース20を固定した状態で、図７に示すように、連結部a2は連結部a1の背面側に位置し、連結部b2,e2は連結部b1,e1のコ字型の空間部に位置し、連結部f2は連結部f1の内側に位置する。また、連結部c2,d2は２枚の平板が一組となっていて、２枚の平板が連結部c1,d1を間に挟む位置となるようになっている。連結部a1〜f1と連結部a2〜f2のそれぞれの組合せが、連結部ａ〜ｆを構成することとなる。
【００３３】
ベース固定部30は、図６に示すように、ベース部材２の側面下部に設けられており、前方に突出する薄板状の固定板31と、固定板31の内側（ベース部材２の中心側）に設けられた差込片34を備えている。固定板31は板面が横側になるように形成されており、固定板31には２つのピン孔32,33が設けられている。ピン孔32は第一封印部4Aに対応するものであり、ピン孔33は第二封印部4Bに対応するものである（図８（Ａ）参照）。そして、各ピン孔32,33は、かしめピン40の軸部42よりもやや大径であり、やじり部41の最大幅よりも小径のやじり固定孔32A,33Aと、やじり固定孔32A,33Aから固定板31の上下方向に形成された軸通過溝32B,33Bを備えている。具体的には、やじり固定孔32Aは固定板31の上側に位置し、軸通過溝32Bはやじり固定孔32Aから上方に向かって形成され、上側が開放している。また、やじり固定孔33Aは固定板31の上側に位置し、軸通過溝33Bはやじり固定孔33Aから下方に向かって形成され、下側が開放している。やじり固定孔32A,33Aは、カバーベースかしめボックス12のピン孔14とほぼ同径に形成されており、やじり部41が弾性変形して通過可能である。軸通過溝32B,33Bは、かしめピン40の軸部42が通過可能な溝幅を有している。差込片34は、固定板31の内側面と直交するように形成されており、基板ケース１をベース部材２の適位置に固定すると、第一封印部4Aと第二封印部4Bの間の隙間150（図１及び図６、７参照）に差し込まれる。差込片34は、隙間150に入りやすくするために先端が山形に形成されている。また、差込片34は、第一封印部4Aが取り外された基板ケース１を再びベース部材２に固定する場合に、第二封印部4Bの上面に形成された開口部12A,22A（図７参照）を塞ぐ遮蔽板として機能するものである。
【００３４】
（基板ケース１のベース部材２への封印及び封印解除）
次に、上記したベース封印部４による基板ケース１のベース部材２への封印手順を説明する。
まず、基板ケース１をベース部材２に固定する。前述したように、基板ケース１の凸部120（図１参照）をベース部材２の開口部200（図３参照）に係合させ、ベース部材２の係止爪210を弾性変形させて基板ケース１の爪係合間隙140に係止させる（図２参照）とともに、基板ケース１のネジ固定部130とベース部材２のネジボス220（図３参照）をネジで固定することにより、基板ケース１がベース部材２に装着される。このとき、ベース固定部30の固定板31がベース封印部４の差込間隙26に差し込まれるとともに、差込片34が隙間150に差し込まれる（図７参照）。固定板31は、第一封印部4Aの底面の開口部12A,22Aから第一封印部4Aの内部に、第二封印部4Bの上面の開口部12A,22Aから第二封印部4Bの内部に突出し、各封印部の仕切り板23の内側に位置するとともに、ピン孔32,33のやじり固定孔32A,33Aが、各封印部のピン孔14及びやじり通過孔24と合致する（図８（Ａ）（Ｂ）参照）。
【００３５】
次に、ベース封印部４の２つのピン誘導部13に、頭部43で繋がった２つのかしめピン40をセットし、双方のかしめピン40のやじり部41がピン孔14を通過するまで押入する。このとき、頭部43がピン誘導部13に合致しないと、やじり部41がピン孔14を通過出来ないようになっている。つまり、ピン誘導部13の側方への突出長さは、かしめピン40の全長から頭部43を除いた長さよりも短く形成されている。やじり部41がピン孔14を通過するまで押入すると、やじり部41の弾性片は垂直でない状態で孔14を通過し、この状態でピン孔14から抜き出し不能となる。この状態では、かしめピン40はベース部材２とは関わりないため、かしめピン40は本来の役割を果たしておらず、いわば仮固定の状態である。また、この状態では、基板ケース１のカバーケース10と本体ケース20もかしめられていないので、カバーケース10と本体ケース20を固定している係合部（図示せず）の係合を解除すれば、基板ケース１を開放することも可能である。
【００３６】
そして、ベース封印部４に取り外し不能に仮固定されたかしめピン40のうち、一方、例えば第一封印部4Aに仮固定されているかしめピン40をさらに押入すると、図８（Ｂ）に示すように、やじり部41はやじり通過孔24及びやじり固定孔32Aを通過して、やじり収納部25に突出する。このとき、かしめピン40の頭部43はピン誘導部13の最奥部つまりカバーベースかしめボックス12の側面に近接しており、図８（Ｃ）に示すように、やじり部41は、軸通過溝32Bの溝長方向と合致しないように軸通過溝32Bに対して斜めに位置する。すなわち、やじり部41の弾性片の頭部側の端を結ぶ線が、軸通過溝32Bの長手方向と一致しないようになっている。やじり部41がこのような配置になっており、かつ、頭部43がピン誘導部13に嵌って前後方向に回転不能となっているためかしめピン40全体が前後方向に回転不能であるので、やじり部41の２つの弾性片の、尖端部と反対側の端部が、いずれも固定板31に係止されることにより、軸方向の引っ張り力に対抗可能である。つまり、頭部43を無理矢理引っ張っても、やじり部41を破壊しない限り、やじり部41がピン孔32から抜けてしまうということはない。そして、頭部43とやじり部41により、カバーベースかしめボックス12と本体ベースかしめボックス22と固定板31とがかしめられた状態となる。これにより、基板ケース１がベース部材２に取り外し不能に固定されるものとなる。なお、２つのかしめピン40を繋いでいる連結紐44は、一方のかしめピン40をかしめ位置まで押入しても千切れない長さを有している（図５参照）ので、２つのかしめピン40が繋がったままの状態で一方のかしめピン40を押入可能である。
【００３７】
ここで、基板ケース１は透明部材により形成されているので、ベース封印部４に押入したかしめピン40を正面側から視認することができる。そして、かしめピン40は、やじり部41の２つの弾性片がやじりの形で見える角度で装着されるようになっているため、かしめピン40が破壊されたり、いったん引き抜かれてやじり部41が破壊された後に再び挿入されたりした場合には、一見して判別できるものとなる。
次に、ベース封印部４のうちの第一封印部4Aの封印解除の手順を説明する。
まず、基板ケース１をベース部材２から取り外すために、第一封印部4Aと基板ケース１を連結している連結部ａ，ｂ，ｃ，ｆ（図１参照）をニッパーなどで切断するとともに、かしめピン40の連結紐44を切断して２つのかしめピン40を切り離す。そして、図９に示すように、ネジ固定部130とネジボス220を締結しているネジを外し、爪係合間隙140に係合している係止爪210を弾性変形させて爪係合間隙140から外し、基板ケース１の封印部側（正面右側）を前方に回動させた後に凸部120（図１参照）を開口部200（図３参照）から引き抜けば、基板ケース１をベース部材２から取り外すことができる。このとき、切断された第一封印部4Aは、ベース部材２のベース固定部30に取り残されたままとなっている。
【００３８】
第一封印部4Aをベース固定部30から取り外すには、まず、図１０（Ｂ）に示すように、第一封印部4Aを上方に持ち上げる。そうすると、かしめピン40の軸部42はやじり固定孔32Aから軸通過溝32Bに移動するので、第一封印部4Aの全体を上方に移動させることができる。第一封印部4Aをさらに上方に移動させ、軸部42が軸通過溝32Bから外に出たところで、図１０（Ｃ）に示すように、第一封印部4Aを手前側に移動させる。これにより、固定板31は差込間隙26から外れ、第一封印部4Aを取り外すことができる。
ここで、第一封印部4Aが基板ケース１から切り離されていない状態では、図８に示すように、かしめピン40の軸部42がピン孔32を貫通しているので、かしめピン40を破壊しない限り、基板ケース１を手前側に移動させることができない。そして、基板ケース１を手前側に移動させなければ、係止爪210と爪係合間隙140の係合、差込片34と隙間150との係合を解除できないので、基板ケース１を上下方向に移動させることもできない。従って、かしめピン40を破壊しないで、第一封印部4Aを上記したようにベース固定部30から移動させて基板ケース１を取り外すことは不可能である。
【００３９】
以上のように、本実施の形態におけるベース封印部４は、透明な封印部にかしめピン40を横方向から装着し、かつ、正面視したときにやじり部41がやじりの形で見える向きで固定するように形成してあるので、かしめピン40の装着がきちんと行われているかを容易に確認可能であるとともに、やじり部41を破壊したり、破壊してかしめピン40を引き抜き再度装着した場合には一見して看破することができる。
また、正規に封印を解除する場合でも、かしめピン40を破壊するとその残骸が遊技機内部に落下して内部装置に悪影響を及ぼすおそれがあるが、本実施の形態では、ベース固定部30のピン孔32,33に軸通過溝32B,33Bを設けて、かしめピン40を破壊しないで封印部を基板ケース１から切り離しベース固定部30から取り外せるようにしてあるので、かかる問題が起こることもない。
【００４０】
さらに、軸通過溝32B,33Bを設けたことによりかしめピン40のやじり部41の係止力が損なわれないように、かしめピン40を軸中心に所定角度回転させた向きで挿入させ、挿入後はかしめピン40の前後方向への回転を不能にするためのピン誘導部13を設けてある。これにより、やじり部41が軸通過溝32B,33Bと合致せずにやじり固定孔32A,32Bの周囲に引っかかり、やじり部41が破壊されないままかしめピン40が引き抜かれてしまうのを防止することができる。
ここで、やじり部41が軸通過溝32B,33Bから抜けてしまわないために、やじり部41そのものを、やじり部41の２つの弾性片の頭部側の端を結ぶ線が頭部43の短手方向に対して所定角度傾くようにかしめピン40を形成すれば、ピン誘導部13を傾けて形成する必要はない。しかし、かしめピン40をそのような形状とするのは製造方法の関係上、本実施の形態のように形成するよりも困難であり、カバーケース10においてピン誘導部13を傾けて形成した方が、製造容易であることから、本実施の形態のような構成とするのが最適である。
【００４１】
一方、軸通過溝32B,33Bを斜めに形成することにより、やじり部41が軸通過溝32B,33Bを避けて係止可能とすれば、ピン誘導部13を傾けて形成する必要はない。しかし、封印部の残骸を固定板31から取り外す際に、斜めに抜き出すのは困難である。従って、本実施の形態のような構成とするのが最適である。
ちなみに、第一封印部4Aを切り離した基板ケース１は、第二封印部4Bを用いて再度ベース部材２に固定可能である。第一封印部4Aが取り除かれた状態では、第二封印部4Bの上面に設けられた固定板31を通過させるための開口部12A,22A（図７参照）が露出してしまうが、ベース固定部30に固定すると、差込片34がそれを上側から覆うように位置するので、開口部12A,22Aから異物を侵入させてかしめピン40にアクセスされることもなく、埃などが入る心配もない。第二封印部4Bの封印及び封印解除の手順は上述した第一封印部4Aの場合とほぼ同様であるが、ベース固定部30に残った第二封印部4Bは、下方に移動させてかしめピン40の軸部42とピン孔33の係合を解除する。
【００４２】
なお、本実施の形態では、基板ケース１をベース部材２に対して手前側に移動させて取り外す構成となっているので、軸通過溝32B,33Bは固定板31の上下に向かって設けてあるが、基板ケース１をベース部材２に対して上下方向に移動させて取り外すようにした場合には、軸通過溝32B,33Bはやじり固定孔32A,32Bから前方に向かって形成すればよい。
ここで、ケース封印部３の詳細については、特に図示しないが、基体封印部４とほぼ同様の構成を備えている。すなわち、ケース封印部３は、図１に示すように、第一封印部3Aと、第二封印部3Bとを備え、各封印部はそれぞれ、カバーケース10のカバーケースかしめボックス11及び本体ケース20の本体ケースかしめボックス21（図４参照）が嵌め合わせられることにより形成される。また、切断可能な複数の連結部によって基板ケース１と一体化している。そして、封印部の側面側から、図３に示したかしめピン40と同様のかしめピン（図示せず）を装着することにより、カバーケースかしめボックスと本体ケースかしめボックスがかしめられ、かしめピンを破壊するか、かしめられている封印部を基板ケース１から切り離さない限り、本体ケース20からカバーケース10を取り外しできないように形成されている。
【００４３】
ただし、ケース封印部３においては、カバーケースかしめボックス11及び本体ケースかしめボックス21のみをかしめるものであり、固定板31のようなものが差し込まれることはないので、ベース封印部４が有している差込間隙26は設けられていない。また、封印を解除する際も、封印部を基板ケース１から切り離せばよいだけなので、かしめピンのやじり部を傾けて固定する必要はない。従って、ケース封印部３のピン誘導部は、図２に示すように、正面側の開放部を真正面に向けて形成されている。
（シール封印部５）
シール封印部５の詳細を、図１１乃至図１３に基づき説明する。ここで、図１２は、シール封印部５の横断面図であって、図面上、上側が正面側である。また、図１３（Ａ）（Ｂ）は、シール封印部５の縦断面図であって、図面上、左側が正面側である。図１３（Ｃ）は、シール封印部５の部分横断面図である。
【００４４】
シール封印部５は、図１１に示すように、基板ケース１の正面視右下部に設けられたシール貼付部15と、シール貼付部15に固定される貼付台50と、貼付台50に取り外し不能に装着されるシールカバー60と、シール貼付部15及び貼付台50に跨って貼付される封印シールとしてのＩＣタグシール70とから構成されている。
シール貼付部15は、基板ケース１（カバーケース10）の正面から奥側に凹んだ凹部15Aと、凹部15Aの凹低面に形成されたネジ孔15Bと、凹部15Aの左右側に設けられた貼付面15Cとを備えている。凹部15Aは、側壁及び上壁を有し、凹部15Aの上壁には角孔19が設けられ、底部は開放している。つまり、凹部15Aは、上側と下側に開放部を有している。ネジ孔15Bは、図１２に示すように、本体ケース20の背面板20Aに設けられたネジボス27（図４参照）のネジ孔と合致している。貼付面15Cは、カバーケース10の正面とほぼ面一であり、ＩＣタグシール70の横幅と合致する目印線又は僅かな凹みあるいは僅かな突出によって、ＩＣタグシール70の貼付領域を明示するためのものである。
【００４５】
貼付台50は、凹部15Aに嵌め込まれる縦長板状の貼付板51と、貼付板51の略中央部に設けられたネジボス52と、貼付板51の下端部から背面側に突出するとともに突出した後端から屈曲して上側に延設された折返片53とを備えている。貼付板51の上端部には、上方に突出する凸部51Aが設けられており、貼付板51の上端部付近であって凸部51Aの下方及び貼付板51の下端部付近には、方形状の係止開口54が設けられている。凸部51Aは、シール貼付部15の凹部15Aの上壁に設けられた角孔19に挿入可能である（図１３（Ａ）参照）。ネジボス52のネジ孔52Aは、図１２に示すように、貼付台50をシール貼付部15の適位置に設置すると、ネジ孔15Bと合致する。また、折返片53は、図１３（Ｂ）に示すように、カバーケース10の下端部と本体ケース20の下端部の接合部を貼付板51の間に挟み込んでカバーケース10と本体ケース20の下端部を固定する役割を果たすものである。折返片53の上端部には、上方に突出する凸部53Aが設けられており、本体ケース20の底面20Cに設けられた角孔28（図４参照）に下方から挿入可能である。係止開口54は、シールカバー60を固定するためのものである。貼付台50は、ネジＱにより、シール貼付部15を介して本体ケース20に設けられたネジボス27に固定される。
【００４６】
シールカバー60は、透明部材であり、図１１に示すように、平板状の被覆部61と、被覆部61の略中央部に設けられた破壊開口部62と、破壊開口部62の周囲に前方に向かって立設された脚部63Aを備え破壊開口部62を正面側から塞ぐ脚付き蓋63と、被覆部61の上端部及び下端部に設けられ背面側に突出する係止爪64を備えている。被覆部61は、シール貼付部15及び貼付台50に貼付されたＩＣタグシール70を正面側から覆いこれを保護するためのものである。破壊開口部62は、シールカバー60を貼付台50に固定すると、図１２（Ａ）に示すように、ネジボス52と合致するようになっている。脚付き蓋63は、脚部63Aを切断することによりシールカバー60から取り去ることができるものである。係止爪64は、図１１に示すように、突出側に爪部を有する２つの薄板部材を、板面が左右方向となり爪部が相反する方向を向くように平行に併設したものである。係止爪64は、いったん貼付台50の係止開口54に装着すると、貼付台50の背面側から爪部と係止開口54の係合を解除しない限り、貼付台50から取り外すことができない。前記被覆部61には、脚付き蓋63を挟んで縦方向（上下方向）に平行する２つのスリット65が形成されている。２つのスリット65の設置間隔は、図１２（Ａ）（Ｂ）に示すように、シール貼付部15の凹部15Aに貼付台50を取り付けたときに貼付板51の左右の幅と合致するようになっている。また、各スリット65の左右幅は、凹部15Aに貼付台50を取り付けた状態における、貼付板51の側面と凹部15Aの側壁とにより形成される溝（凹部15Aと貼付板51の継ぎ目）と略一致する幅に形成されており、各スリット65の上下の長さは、ＩＣタグシール70の上下方向の長さとほぼ同一かそれよりもやや長く形成されている。
【００４７】
ＩＣタグシール70は、紙、又はプラスチックフィルム、若しくは紙をプラスチックでコーティングしたものにより形成された粘着シートであり、表面には所定の情報が記載されており、裏面は粘着面となっている。また裏面には所定の識別情報を記憶したＩＣチップ71（図１２参照）が固定されているとともに、アンテナ線が敷設されており、このＩＣチップ71の情報は、所定の読み取り機によって非接触で読み取り可能となっている。また、ＩＣタグシール70の裏面全体は図示しない剥離シートが覆っており、使用の際には剥離シートを剥がして貼付する。
（シール封印部５の封印及び封印解除）
上記構成を有するシール封印部５の封印手順を説明する。
【００４８】
まず、貼付台50をシール貼付部15の凹部15Aの下側の開放部に嵌め込む。そして、上方向にスライド移動させる。ネジ穴52Aがシール貼付部15のネジ穴15Bと合致するまで貼付台50を押し込むと、図１３（Ａ）（Ｂ）に示すように、貼付板51の凸部51Aは角孔19に突入し、折返片53の凸部53Aは角孔28に突入する。このとき、図１３（Ａ）に示すように、凸部51Aの後方に形成された張出部51Bが凹部15Aの上壁に下方から当接して角孔19を塞ぎ、図１３（Ｂ）に示すように、凸部53Aの後方に形成された張出部53Bが本体ケース20の底面20Cに下側から当接して角孔28を塞ぐようになっている。また、折返片53はカバーケース10と本体ケース20の下端部を挟持している。さらに、図１２に示すように、シール貼付部15の貼付面15Cは、貼付板51の正面と面一になっているとともに、凹部15Aの側壁部と、貼付板51の側端部との間には僅かな隙間が生じている。また、ネジボス52のネジ孔52Aはシール貼付部15のネジ孔15Bと合致している。そして、ネジ孔52AにネジＱをねじ込むことにより、最終的にネジＱは本体カバーのネジボス27のネジ孔に螺号され、貼付台50及びシール貼付部15が本体カバー20に固定される。図１２に示すように、ネジＱの頭部はネジボス52にすっぽり隠れてしまうので、貼付板51の正面から突出することはない。
【００４９】
次に、貼付面15Cと、貼付面15Cと面一になった貼付板51の正面に跨るように、ＩＣタグシール70を貼付する。ＩＣタグシール70はネジボス52を覆い隠し、ＩＣタグシール70を破かない限りネジＱは取り外し不能となる。なお、ＩＣタグシール70の上下方向の長さは、貼付板51に設けられている上下の係止開口54どうしの間の長さよりも短いので、ＩＣタグシール70が係止開口54を塞ぐことはない。そして、ＩＣタグシール70を適位置に貼付すると、ＩＣチップ71が丁度ネジボス52の位置と合致するようになっている。
最後に、シールカバー60を貼付台50に固定する。すなわち、係止爪64を係止開口54に押入して嵌め殺しにする（図１３（Ｃ）参照）。前述したように、係止爪64と係止開口54とは貼付台50の背面側からしか係合を解除できず、貼付台50はＩＣタグシール70によって覆い隠されているネジＱを外さないとシール貼付部15から取り外せない。従って、シールカバー60を破壊しない限り、シールカバー60を貼付台50から取り外すことができない。つまり、係止爪64によって、シールカバー60が封印される。ここで、シールカバー60の脚付き蓋63は、図１２に示すように、ネジＱの前方に位置しており、脚付き蓋63の脚部63Aどうしの間には隙間があるが、これは脚付き蓋63を破壊するときにニッパーを入れるための隙間であり、この隙間からドライバを差し込んだとしても、脚付き蓋63を破壊しないでネジＱにアクセスしネジＱを外すことはできないようになっている。なお、覆板部61からはＩＣタグシール70の全てを視認することができる。また、スリット65は、図１２に示すように、凹部15Aの側壁部と貼付板51の側端部の間の隙間と合致した位置となっている。そして、図示しないが、スリット65の真裏には、ＩＣチップのアンテナが位置している。
【００５０】
次に、シール封印部５の封印を解除する場合には、図１２（Ｂ）に示すように、シールカバー60の脚付き蓋63を、脚部63Aを切断して取り去る。そして、開放された破壊開口部62から図示しないドライバを突き刺してＩＣタグシール70を破り、ドライバをネジＱの頭部に到達せしめ、ネジＱを取り外す。このとき、ＩＣタグシール70の裏側であってネジＱの前方に位置しているＩＣチップ71も破壊され、再使用不能となる。そして、シールカバー60を固定したままの貼付台50を下方に引き抜けば、貼付台50をシール貼付部15から取り外すことができる。ただ、ＩＣタグシール70はシール貼付部15の貼付面15Cと貼付板51の正面に跨って貼付されており、接着面を水平方向に移動させないとならないのみならず、シール裏面にはＩＣチップ71のアンテナ線が敷設されているので、これを引きちぎるのには困難を伴うこともあり、場合によっては貼付台50を引き抜けないこともある。そこで、シールカバー60のスリット65を通してカッターナイフなどでＩＣタグシール70をあらかじめ縦方向に切断しておけば、貼付台50を容易に引き抜くことができる。スリット65の奥側は凹部15Aと貼付板51の隙間なので、ナイフを差し込んでＩＣタグシール70を切断する作業も容易かつ確実に行うことができる。
【００５１】
以上のように、本実施の形態におけるシール封印部５は、基板ケース１に着脱自在な貼付台50にＩＣタグシール70を貼り、その表面をシールカバー60で覆ってＩＣタグシール70保護するとともに、シールカバー60を外側からは取り外し不能に形成してある。従って、ＩＣタグシール70が不正に貼り替えられるのを防止できる。また、貼付台50はネジＱによって本体カバー20に固定されるので、基板ケース１を開ける場合にはネジＱを取り外さなければならない。ネジＱを取り外すにはＩＣタグシール70を破壊しないとならないので、基板ケース１を不正に開けた場合には必ず痕跡が残る。さらに、ＩＣチップ71をネジＱの位置と合致させてあるため、ネジＱの取り外しの際にＩＣチップ71が破壊され、機能を果たさなくなる。これで、不正に剥がしたＩＣタグシール70からＩＣチップ71のみを取り外して不正に使用することができなくなる。
【００５２】
加えて、貼付台50は、ケース固定部としての折返片53を有しているのでカバーケース10と本体ケース20の固定の補強にも役立つとともに、貼付面15Cに貼付されたシールとシールカバー60を取り除けば再利用可能である。
なお、本実施の形態においては、貼付台50を基板ケース１の底面部から装着するように形成してあったが、上面部や左右の側面部から装着するようにしてもよい。あるいは、貼付台50を周囲が閉塞した凹部に正面側から嵌め込むようにしてもよい。
（スイッチカバー80）
スイッチカバー80は、図１、図２、図４に示すように、基板ケース１の正面側から操作可能な操作スイッチ110を覆う、背面側が開放した箱形のカバーである。以下、スイッチカバー80の詳細を、図１４乃至図１６に基づき説明する。ここで、図１４（Ａ）はスイッチカバー80の正面図であり、図１４（Ｂ）はスイッチカバー80の部分左側面図である。図１４（Ｂ）は、図面上、右側が正面側である。図１５（Ａ）（Ｂ）は、それぞれ、スイッチカバー80の部分正面図及びスイッチカバー80の部分左側面図である。また、図１６は、スイッチカバー80の横断面図であり、図面上、上側が正面側である。図１６（Ａ）は図１５のII−II及びIII−III線断面図であり、図１６（Ｂ）は図１４のI−I線断面図である。
【００５３】
スイッチカバー80は、図１４（Ａ）に示すように、前板80Aと４つの側板80B〜80Eを有し、上側の側板80D及び下側の側板80Eの左側端部には、それぞれ上下に突設された軸止ピン81が設けられている。そして、この軸止ピン81を、基板ケース１のカバーケース10に形成された軸受け16に係止させることにより、軸止ピン81を中心として、前後方向に回動自在にカバーケース10に支持されるものである。また、スイッチカバー80の左側の側板80Bには、バネ90を装着するためのバネ固定軸82が設けられている。そして、バネ90をバネ固定軸82に装着してカバーケース10に取り付けることにより、常時閉じる方向（後方に回動する方向）に付勢されるようになっている。
【００５４】
なお、スイッチカバー80は、図１、図２に示すように、閉じた状態で、シール封印部５の一部をも覆うようになっている。具体的には、シールカバー60のスリット64の上端側の一部がスイッチカバー80により覆われる。このため、シール封印部５の封印を解除するためにスリット64を介してＩＣタグシール70を切断する作業は、スイッチカバー80を開けるか取り外した状態でないと行えない。
バネ90は、コイル部91と、コイル部91の一端部から延びる第一アーム部92と、コイル部91の他端部から延びる第二アーム部93を備えたねじりコイルバネであって、第二アーム部93がカバー外側、第一アーム部92がカバー内側に向くように、コイル部91をバネ固定軸82に嵌め入れて取り付けられる。また、バネ固定軸82は、スイッチカバー80の側板80Bに設けられたブラケットＢから、スイッチカバー80の側面と平行して突設された円柱形の軸である。バネ固定軸82の側面とスイッチカバー80の側板80Bとの間には所定の間隙が形成されており、上側からコイル部91を嵌め入れることができるようになっている。バネ90は、下側に第二アーム部93が位置するように、バネ固定軸82に取り付けられる。第二アーム部93は、スイッチカバー80が基板ケース１に固定されたとき、カバーケース10に形成されたバネ止め17に係止される。具体的には、バネ止め17は、図４に示すように、カバーケース10の正面板10において上下及び左側に設けられた立壁により囲まれた溝部17Aを有し、図１４に示すように、右側の開放部から第二アーム部93を溝部17Aの内部に延ばすように位置させることにより、第二アーム部93が溝部17Aの内部で上下方向に移動不能となる。
【００５５】
スイッチカバー80の側板80Bには、バネ90の第一アーム部92をカバー内側に入れるための開口部83が形成されている。開口部83は、図１４（Ｂ）に示すように、側面視して縦長の略平行四辺形に形成されており、背面側に位置する後方端面84及び正面側に位置する前方端面85は、下方に向かうにつれ正面との距離が縮まるように傾斜している。また、後方端面84の下端部には、後方端面84を後方に一段凹ませて形成した側面視反コ字型の係止溝86が設けられている。バネ90は、第一アーム部92が係止溝86に入り込むことにより、ブラケットＢの上方の位置で保持され、スイッチカバー80に装着される。
ここで、開口部83とバネ固定軸82の関係は、図１４（Ｂ）に示すように、側面視したとき、後方端面84の上端部ｘと係止溝86の溝底部ｚとが、バネ固定軸82の中心軸Ｘよりも背面側に位置し、かつ、後方端面84の下端部ｙは、前記中心軸Ｘよりも前面側に位置するようになっている。また、後方端面84の上端部ｘと、係止溝86の溝底部ｚとは、中心軸Ｘからの距離がほぼ同一となるよう形成されている。また、バネ固定軸82は、バネ90の全長よりも長く、側面視したとき、その先端が係止溝86の上端よりも上方となる位置となるように形成されている。そして、第二アーム部93がバネ固定軸82を支持するブラケットＢまで到達すると、第一アーム部92が係止溝63に入って係止され、いったん第一アーム部92を前方に移動させない限り、第一アーム部92が係止溝63の中から出られないようになっている。
【００５６】
（スイッチカバー80の着脱）
次に、上記構成を有するスイッチカバー80を、基板ケース１に取り付ける手順について説明する。
まず、スイッチカバー80にバネ90を取り付ける。図１５（Ａ）に示すように、バネ90の一方の第一アーム部92を開口部83に入れ、もう一方の第二アーム部93をバネ固定軸82側に位置させた状態で、コイル部91をバネ固定軸82に差し込む。第一アーム部92はバネ固定軸82の背面側を通って開口部83に至っている。また、図示するように、コイル部91の下端部がバネ固定軸82の先端部にかかった状態では、第一アーム部92は後方端面84の上端部ｘ（図１４（Ｂ）参照）側に位置している。このとき第一アーム部92が位置している後方端面84の外側のエッジ84A（図１６（Ａ）参照）は、後方端面84と係止溝86との境目（図１４（Ｂ）における後方端面84の下端部ｙ）のエッジ84Aよりも背面側にあり、バネ90の常態（テンションが掛かっていない状態）において、第一アーム部92は、図１６（Ａ）に二点鎖線で示すように、後方端面84のエッジ84Aに当接しているときには、前方端面85には接触しないようになっている。ただし、この位置でも、第二アーム部93をスイッチカバー80方向（正面視右側）に回動させた場合には、コイル部91がバネ固定軸82の周囲を回転移動し、第一アーム部92の根本側（コイル部91側）は後方端面84から離れ、先端側（突出側）は前方端面85に接触する。ここでは、バネ90が図１５（Ａ）の位置にある場合において、第一アーム部92が後方端面84に接触しかつ前方端面85に接触していない状態を、バネ90のバネ固定軸82に対する回転方向の初期位置（初期角度）として、初期角度を保ったまま、バネ固定軸82にコイル部91を嵌入させることを想定して説明する。
【００５７】
図１５（Ａ）の状態からバネ90を下方（底面側）に移動させると、第一アーム部92は、下方に行くほど徐々に手前に張り出すように傾斜している後方端面84のエッジ84Aに押されて、元の位置から変位していく。具体的には、第一アーム部92は、係止溝86に近づくほど、正面側に押し出されるように回動する。すなわち、バネ90を指でつまんで第二アーム部93を初期位置から動かさないままバネ固定軸82に差し込んだ場合には、前記した第一アーム部92の挙動により、コイル部91に対して徐々にねじり方向のテンションが掛かっていく。
そして、図１５（Ｂ）に示すように、第一アーム部92が、後方端面84の下端部ｙ付近（つまり係止溝86の直前の位置）に位置したときには、図１６（Ａ）に実線で示すように、第一アーム部92の先端側（突出側）が、前方端面85の内側のエッジ85Aに当接する。このとき、バネ90から手を離してもバネ90はその位置に保持される。この状態では、バネ固定軸82の外周面とコイル部91の内周面とが密着して、バネ90がバネ固定軸82と開口部83の間に一時係止されている。すなわち、バネ固定軸82とエッジ85Aの間に、バネ90が挟まった状態となる。従って、バネ90が図１５（Ｂ）の位置にある場合には、バネ90がバネ固定軸82から外れ難くなる。
【００５８】
さて、図１５（Ｂ）の位置にあるバネ90を、一時係止力に抗してさらにバネ固定軸82に押し込むことにより、図１４（Ｂ）に示すように、第一アーム部92が後方端面84の下端部ｙを乗り越えて係止溝86の内部に入り込む。ここで、前述したように、係止溝86の溝深さは、後方端面84の上端部ｘ、すなわち、第一アーム部92がテンションを受けることがない位置と同等の位置となるように形成されているので、第一アーム部92が係止溝86に位置している状態では、バネ90には何らの圧力も掛からない。すなわち、コイル部91とバネ固定軸82との関係はフリーである。従って、第一アーム部92に前方向への力を加えることにより、コイル部91はバネ固定軸82の周囲を回動し、第一アーム部92は係止溝86の溝底部ｚから前方端面85の方向へ移動する。ただし、バネ90全体を軸方向、すなわちバネ固定軸82から抜き出す方向に移動させても、第一アーム部92が係止溝86の立壁68B（図１６（Ｂ）参照）に引っ掛かるので、バネ90が自然にバネ固定軸82から外れてしまうことはない。このようにして、バネ90がスイッチカバー80に装着された状態となる。なお、バネ90をバネ固定軸82から抜き取るためには、第一アーム部92が後方端面84の下端部ｙを乗り越えて係止溝86から脱出するように、第一アーム部92の根本部に外側方向への力を加えて湾曲させればよい。
【００５９】
なお、バネ90のスイッチカバー80への取り付け方は上記した方法に限られない。例えば、バネ固定軸82の先端が上側となっている状態でバネ90を上方から落とし込んでもよい。この場合には、バネ90が初期位置にあるときにバネ90を手放すと、前述した第一アーム部92の挙動（後方端面84のエッジ84Aに押されて元の位置から変位）により、バネ90全体が軸中心に回転しながら下方に落下する。そして、第一アーム部92が係止溝86の直前の位置となるまで落下すると、第一アーム部92が前方端面85のエッジ85Aに当接してバネ90が回転できなくなるので、バネ90の自重によりコイル部91にテンションが掛かり、バネ90はその位置で停止することとなる。つまり、バネ90をバネ固定軸82に自然落下させた場合であっても、係止溝86の直前の位置でバネ90を一時係止させることができる。その後は、上記と同様に、バネ90を一時係止力に抗してさらにバネ固定軸82に押し込むことにより、バネ90がスイッチカバー80に装着される。
【００６０】
以上のようにしてバネ90を装着したスイッチカバー80は、バネ止め17に形成された溝部17Aに第二アーム部93を位置させつつ、軸止ピン81を軸受け16に係合させる。ここで、スイッチカバー80において上側の軸止ピン81が形成されている部分は、圧力をかけることにより上下に撓むようになっているので、当該部分を撓ませた状態で、上下両方の軸止ピン81をそれぞれ軸受け16に係合させることができる。このようにして、スイッチカバー80がカバーケース10に回動自在に取り付けられると、バネ90は、図１６（Ｂ）に示すように、第二アーム部93が矢印αの方向に回転することにより、第一アーム部92が矢印βの方向に反発力を受け、第一アーム部92が係止溝86の溝底部ｚ（図１４（Ｂ）参照）の外側の縁部86Aを押圧することによって、スイッチカバー80が常時閉じる方向に付勢されることとなる。なお、スイッチカバー80を基板ケース１から取り外す場合には、上側の軸止ピン81が形成されている部分を撓ませて、軸止ピン81と軸受け16の係合を解除すればよい。
【００６１】
このように、本実施の形態におけるスイッチカバー80は、バネ90を装着した状態で基板ケース１に取り付けるようにしてあるので、着脱の際に、バネ90が固定部から外れて落下したり飛んでいってしまったりすることがない。また、本実施の形態においては、バネ90を固定するための固定部（バネ固定軸82及び開口部83）は、バネ90が固定位置に至る直前にテンションが掛かり、固定部に一時係止されるように形成されている。従って、特に、スイッチカバー80からバネ90を取り外す際に、固定位置から外そうとしたバネ90が意図せず抜け落ちたり飛び出したりすることがなく、かかる事態を起こさないよう作業中に過大な注意を払う必要もない。このため、基板ケース１の組み立て作業効率を上げることができる。また、スイッチカバー80にバネ90を取り付ける際にも、固定位置に至らせる前にバネ90を固定部に一時係止させることができるので、バネ90の抜け落ちや飛び出しを防止することができる。
【００６２】
なお、本実施の形態では、開口部83の後方端面84は、係止溝68に向かって傾斜するように形成してあったが、後方端面84は、第一アーム部92が係止溝68の直前に位置しているときに、コイル部91にテンションがかかることを可能とする形状であればよい。例えば、図１７（Ａ）に示すように、開口部83は長方形とし、後方端面84を、外側に向かって傾斜して形成し、係止溝68に近づくにつれエッジ84Aの位置が溝底部ｚと離れるようにしてもよい（図１７（Ａ）のIV−IV線断面図である図１７（Ｂ）参照）。あるいは、図１７（Ｃ）に示すように、後方端面84の下端部近傍に、正面側に徐々に突出する突起87を設け、この突起87の上端部と開口部83の下方端面の間の隙間が係止溝68となるように形成してもよい。この場合には、後方端面84と係止溝68の溝底部ｚは一直線上であってもよい。
【００６３】
また、係止溝68は、開口部83のバネ誘導部としての後方端面84から、後方に一段凹ませた方形状に形成してあったが、係止溝68に第一アーム部92が入ることによりバネ90がカバーケース80に装着可能であれば、どのような形状であっても構わない。例えば、特に図示しないが、一時係止部としての後方端面84の下端部ｙから斜め後方に傾斜した溝や、Ｌ字型に切り欠いた溝としてもよい。
また、本実施の形態では、軸止ピン81とバネ固定軸82を別々に設けてあったが、バネ90が装着される軸部が、スイッチカバー80の回動軸を兼ねるように形成してもよい。
また、本実施の形態では、基板ケース80に設けられた操作スイッチ110をカバーするスイッチカバー80を設けてあったが、基板ケース１としては、操作スイッチ100以外のもの、例えばかしめ部や封印部をカバーする開閉カバーを備えていてもよい。この場合にも、上記したのと同様の構造を用いることにより、基板ケース１の組み立てを容易ならしめることができる。
【００６４】
さらに、本実施の形態におけるスイッチカバー80の構成は、基板ケース１以外のものにも応用できる。例えば、電源ボックスの正面に設けられた設定変更スイッチなどを覆うカバーなどに用いてもよい。
（総括）
以上のように、本実施の形態においては、ベース封印部４、シール封印部５、カバーケース80を上記したような構成としたことにより、封印解除の痕跡が明確となってセキュリティが向上するとともに、組み立てや分解を容易に行うことができる。また、ケース封印部３だけでなく、シール封印部５によっても基板ケース１の開封の痕跡が残るようにしてあるので、基板ケース１の一層のセキュリティ強化を図ることができる。さらに、カバーケース80がシール封印部５の一部を覆うようになっているので、シール封印部５の封印解除の作業をやり難くし、不正な封印解除を簡単に行わせないという効果もある。
【００６５】
なお、本発明は、分離型のスロットマシンでないスロットマシンにも利用可能である。この場合には、スロットマシンの筐体の内面、例えば裏板にベース部材２を固定し、これに基板ケース１を固定することができるのは言うまでもないが、筐体の裏板にベース固定部30と同様の基体固定部を形成し、筐体そのものを基体として機能させることもできる。また、本発明は、スロットマシン以外の遊技機、例えばパチンコ遊技機に使用してもよい。
【符号の説明】
【００６６】
１  基板ケース                    ２  ベース部材（基体）
３  ケース封印部                  ４  ベース封印部
4A  第一封印部（ケース固定部）    4B  第二封印部（ケース固定部）
５  シール封印部
10  カバーケース                  11  カバーケースかしめボックス
12  カバーベースかしめボックス    13  ピン誘導部
14  ピン孔                        15  シール貼付部
16  軸受け                        17  バネ止め
18  スイッチ開口部                19  角孔
20  本体ケース                    21  本体ケースかしめボックス
22  本体ベースかしめボックス      23  仕切り板
24  やじり通過孔                  25  やじり収納部
26  差込間隙                      27  ネジボス（ネジ固定部）
28  角孔
30  ベース固定部                  31  固定板
32,33  ピン孔                32A,33A  やじり固定孔
32B,33B  軸通過溝                 34  差込片
40  かしめピン（固定ピン）        41  やじり部
42  軸部                          43  頭部
50  貼付台                        60  シールカバー
70  ＩＣタグシール                80  スイッチカバー
90  バネ                         100  制御基板
120  凸部                         130  ネジ固定部
140  爪係合間隙                   150  隙間
200  開口部                       210  係止爪
220  ネジボス                      Ｓ  スロットマシン（遊技機）
ａ〜ｆ  連結部
【図１】
0005953522.tif 000002
【図２】
0005953522.tif 000003
【図３】
0005953522.tif 000004
【図４】
0005953522.tif 000005
【図５】
0005953522.tif 000006
【図６】
0005953522.tif 000007
【図７】
0005953522.tif 000008
【図８】
0005953522.tif 000009
【図９】
0005953522.tif 000010
【図１０】
0005953522.tif 000011
【図１１】
0005953522.tif 000012
【図１２】
0005953522.tif 000013
【図１３】
0005953522.tif 000014
【図１４】
0005953522.tif 000015
【図１５】
0005953522.tif 000016
【図１６】
0005953522.tif 000017
【図１７】
0005953522.tif 000018
【図１８】
0005953522.tif 000019